(57)【要約】【課題】手摺駆動装置部での間隙寸法調整を不要とし、移動手摺と手摺駆動ローラの間隙を容易に確保できる乗客コンベアの移動手摺案内装置を得る。【解決手段】手摺駆動装置９の周辺部に設けられ、移動手摺７の横方向の動きを規制する手摺案内装置１７を備えたものにおいて、手摺案内装置は、手摺駆動装置の駆動ローラ１１の軸１３に設けられた保持器１７ａと、この保持器に設けられ、通常は移動手摺の耳部７ａ間の開口部に在って手摺耳部とは接触しないように配置された案内体１７ｃとを備え、案内体は、駆動ローラと手摺耳部との間隙が狭くなった時、両者が接触する前に、移動手摺の開口部の手摺耳部と接触して移動手摺の横方向の動きを規制する。【選択図】図４
2007131371.tif 000002
【特許請求の範囲】
【請求項１】
手摺駆動装置の周辺部に設けられ、移動手摺の横方向の動きを規制する手摺案内装置を備えた乗客コンベアの移動手摺案内装置において、
前記手摺案内装置は、前記手摺駆動装置の駆動ローラの軸に設けられた保持器と、この保持器に設けられ、通常は前記移動手摺の耳部間の開口部に在って前記手摺耳部とは接触しないように配置された案内体とを備え、
前記案内体は、前記駆動ローラと前記手摺耳部との間隙が狭くなった時、両者が接触する前に、前記移動手摺の開口部の手摺耳部と接触して前記移動手摺の横方向の動きを規制することを特徴とする乗客コンベアの移動手摺案内装置。
【請求項２】
手摺案内装置は、手摺駆動装置の複数個の駆動ローラのうち、少なくとも一つに備えられたことを特徴とする請求項１記載の乗客コンベアの移動手摺案内装置。
【請求項３】
案内体は、移動手摺との接触により回転可能な円形回転体からなることを特徴とする請求項１又は請求項２記載の乗客コンベアの移動手摺案内装置。  
【請求項４】
案内体は、固定式矩形体からなることを特徴とする請求項１又は請求項２記載の乗客コンベアの移動手摺案内装置。  
【請求項５】
案内体は、駆動ローラの幅寸法より大きく、移動手摺の耳部間の開口部寸法より小さいことを特徴とする請求項１〜請求項４のいずれかに記載の乗客コンベアの移動手摺案内装置。
【請求項６】
案内体の下端部は、移動手摺の耳部間の開口部寸法より大きい幅を有し、移動手摺の裏面内に在って通常は前記移動手摺の内面とは接触しないように配置され、駆動ローラと手摺耳部との間隙が狭くなった時、両者が接触する前に、前記移動手摺の内面と接触して前記移動手摺の横方向の動きを規制することを特徴とする請求項１〜請求項５のいずれかに記載の乗客コンベアの移動手摺案内装置。
【請求項７】
案内体は、低摩擦性の合成樹脂製であることを特徴とする請求項１〜請求項６のいずれかに記載の乗客コンベアの移動手摺案内装置。
【発明の詳細な説明】
【技術分野】
【０００１】
この発明は、エスカレータ等の乗客コンベアの移動手摺案内装置に関するものである。
【背景技術】
【０００２】
従来、乗客コンベアの移動手摺案内装置においては、移動手摺の内側に嵌合して移動手摺の横方向の動きを規制する合成樹脂製のガイド体が回転可能に設けられている（例えば、特許文献１参照）。この移動手摺案内装置は、ガイド体の回転部を移動手摺の内側面のいずれか一方に接触させ、移動手摺の横方向の動きを規制する構成となっており、この案内装置を手摺駆動装置の両端に設けている。そして、移動手摺の耳部と駆動ローラが接触している時に、ガイド体と駆動ローラが接触している耳部の方向にガイド体を回転させ、ガイド体が移動手摺を押し付けて横方向に動く作用が働くことにより、駆動ローラと移動手摺の間隙寸法を調整できるようにしている。
【０００３】
【特許文献１】特開２００１−１４６３７８号公報
【発明の開示】
【発明が解決しようとする課題】
【０００４】
従来の乗客コンベアの移動手摺案内装置では、手摺駆動装置が複数個の駆動ローラで構成されている場合、各駆動ローラ部の製作誤差や、運転中の駆動力により、各駆動ローラの位置が駆動ローラの軸方向にずれたり、移動手摺の進行方向に対し傾いたりして、各駆動ローラは一直線上にならず、また、移動手摺の運転方向によっても移動手摺の流れが変わるので、間隙寸法は変化する。したがって、移動手摺の耳部と駆動ローラの間隙が、ある駆動ローラでは確保できていても、他の駆動ローラでは確保できないという問題があった。これは駆動ローラの数が増えれば増えるほど調整が困難となる。従来のように、手摺駆動装置の両端に設けたガイド体で移動手摺の横方向への動きを規制しただけでは、各々の駆動ローラと移動手摺耳部の間隙を確保するのは容易ではなく、複数個の駆動ローラ全てで接触しないように調整することは難しかった。
【０００５】
この発明は、上述のような課題を解決するためになされたもので、移動手摺の駆動ローラの位置（姿勢）変位に対応する手摺案内装置を設けて、手摺駆動装置部での間隙寸法調整を不要とし、移動手摺と手摺駆動ローラの間隙を容易に確保することで、接触による異常音の発生や駆動ローラ及び移動手摺の破損を防止するようにした乗客コンベアの移動手摺案内装置を提供するものである。
【課題を解決するための手段】
【０００６】
この発明に係る乗客コンベアの移動手摺案内装置においては、手摺駆動装置の周辺部に設けられ、移動手摺の横方向の動きを規制する手摺案内装置を備えたものにおいて、手摺案内装置は、手摺駆動装置の駆動ローラの軸に設けられた保持器と、この保持器に設けられ、通常は移動手摺の耳部間の開口部に在って手摺耳部とは接触しないように配置された案内体とを備え、案内体は、駆動ローラと手摺耳部との間隙が狭くなった時、両者が接触する前に、移動手摺の開口部の手摺耳部と接触して移動手摺の横方向の動きを規制するものである。
【発明の効果】
【０００７】
この発明によれば、手摺駆動装置部での細かな間隙寸法調整が不要となり、移動手摺と手摺駆動ローラの間隙を容易に確保することができる。そして、接触による異常音の発生や駆動ローラ及び移動手摺の損傷を防止することができる。
【発明を実施するための最良の形態】
【０００８】
実施の形態１．
図１は乗客コンベアの全体構成を示す概略側面図、図２はこの発明の実施の形態１における乗客コンベアの移動手摺案内装置を示す図１のＡ部拡大図、図３はこの発明の実施の形態１における乗客コンベアの移動手摺案内装置を示す図２のＢ部拡大図、図４は図３をＣ方向から見た図、図５は図３をＤ方向から見た平面図、図６は駆動ローラとその軸の一部の位置（姿勢）が正規の状態から軸方向にずれたり進行方向に傾いたりする状態を説明するための説明図である。
【０００９】
図１において、１は隣接する上下階床間に掛け渡された乗客コンベアの主枠、２はこの主枠１の両側に立設された欄干、３は主枠１内の上部階床部分に設けられた駆動機、４は主枠１内の上部階床部分に設けられ、駆動機３に駆動チェーン５により連結された駆動スプロケットで、駆動機３の駆動力を踏段６と移動手摺７に伝達する。８は主枠１内の下部階床部分に設けられた下部スプロケット、９は主枠１内の上方部に設けられた手摺駆動装置である。この手摺駆動装置９と駆動スプロケット４の間には、駆動力伝達用チェーン１０が巻き掛けられており、この駆動力伝達用チェーン１０によって手摺駆動装置９に駆動力が伝達されている。
【００１０】
手摺駆動装置９は、図２〜図５に示すように構成されている。７は移動手摺、７ａは移動手摺の耳部、１１は複数個（例えば４個）の駆動ローラで、移動手摺７の耳部７ａ間の開口部から入って移動手摺７の裏面内側に接して配置されている。１２は手摺駆動チェーンで、駆動ローラ１１の軸１３に係合されて駆動力を伝達し、駆動ローラ１１を回転させる。１４は複数個（例えば４個）の押圧ローラで、連結部材１５に係合されたばね１６により、移動手摺７を間に介して駆動ローラ１１と対向して移動手摺７の表面側を押圧している。なお、駆動ローラ１１の両側面と移動手摺７の耳部７ａとの間隙は、数ｍｍ程度となっている。
【００１１】
そして、駆動ローラ１１の軸１３に手摺案内装置１７が設けられている。この手摺案内装置１７は、中央部が駆動ローラ１１の軸１３に固定され、両側腕部が手摺進行方向に沿って駆動ローラ１１の外径の外側まで延びており、この両側腕部の先端部に下向きのＬ字形保持部が形成された保持器１７ａと、この保持器１７ａのＬ字形保持部の水平部中央に固定された軸部１７ｂと、この軸部１７ｂに回転可能に支持され、移動手摺７の耳部７ａ間の開口部に配置された円形回転体からなる案内体１７ｃと、から構成されている。この円形回転体からなる案内体１７ｃは、図４に示すように、移動手摺７の耳部７ａ間の開口部寸法より小さく、且つ、駆動ローラ１１の幅寸法（両側面間の距離）より大きい径となっており、通常は手摺耳部７ａとは接触しないように配置されている。
【００１２】
ここで、図６に示すように、複数個の駆動ローラ１１と軸１３の内の一部の位置（姿勢）が、正規の状態から軸１３方向へずれたり、或いは移動手摺７の進行方向に対し傾いたりして、駆動ローラ１１と手摺耳部７ａとの間隙が狭くなると、それらが接触する前に、軸１３に固定された手摺案内装置１７の円形回転体からなる案内体１７ｃが移動手摺７の開口部の耳部７ａと接触し、移動手摺７の横方向の動きを規制して、駆動ローラ１１と手摺耳部７ａとの接触を未然に防止する。
【００１３】
以上述べたように、実施の形態１によれば、手摺駆動装置９部での細かな間隙寸法調整が不要となり、移動手摺と手摺駆動ローラの間隙を容易に確保することができる。そして、接触による異常音の発生や駆動ローラ及び移動手摺の損傷を防止することができる。また、案内体１７ｃを低摩擦性の合成樹脂製とすれば、手摺耳部と接触しても異常音を発生することがない。
【００１４】
実施の形態２．
図７はこの発明の実施の形態２における乗客コンベアの移動手摺案内装置を示す図５に相当する平面図である。
上記実施の形態１では、手摺案内装置１７の案内体１７ｃを円形回転体からなる構成としたが、この実施の形態２においては、手摺案内装置１７の案内体１７ｃを固定式矩形体からなる構成としたものである。
この実施の形態２においても、固定式矩形体からなる案内体１７ｃは、図７に示すように、移動手摺７の耳部７ａ間の開口部寸法より小さく、且つ、駆動ローラ１１の幅寸法（両側面間の距離）より大きい幅となっており、通常、手摺耳部７ａとは接触していない。
【００１５】
ここで、図６に示すように、複数の駆動ローラ１１と軸１３の内の一部の位置（姿勢）が、正規の状態から軸１３方向へずれたり、或いは移動手摺７の進行方向に対し傾いたりして、駆動ローラ１１と手摺耳部７ａとの間隙が狭くなると、それらが接触する前に、手摺案内装置１７の固定式矩形体からなる案内体１７ｃが移動手摺７の開口部の耳部７ａと接触し、移動手摺７の横方向の動きを規制して、駆動ローラ１１と手摺耳部７ａとの接触を未然に防止する。よって、実施の形態１と同様の効果を得ることができる。
【００１６】
実施の形態３．
図８はこの発明の実施の形態３における乗客コンベアの移動手摺案内装置を示す図４相当図、図９は案内体を示す斜視図、図１０はこの発明の実施の形態３における乗客コンベアの移動手摺案内装置を示す図５に相当する平面図である。
上記実施の形態２では、手摺案内装置１７の案内体１７ｃを移動手摺７の耳部７ａ間の開口部寸法より小さく、且つ、駆動ローラ１１の幅寸法（両側面間の距離）より大きくしたが、この実施の形態３においては、図８、図９に示すように、案内体１７ｃの上部は実施の形態２と同様の構成とし、特に、案内体１７ｃの下端部の幅寸法を移動手摺７の耳部７ａ間の開口部寸法より大きくし、移動手摺７の裏面内に在って通常は移動手摺の内面とは接触しないように配置されている。
この実施の形態３においても、案内体１７ｃの上部は、図８、図１０に示すように、移動手摺７の耳部７ａ間の開口部寸法より小さく、且つ、駆動ローラ１１の幅寸法（両側面間の距離）より大きい幅となっており、通常、手摺耳部７ａとは接触していない。そして、案内体１７ｃの下端部は、図８、図１０に示すように、移動手摺７の耳部７ａ間の開口部寸法より大きい幅となっているが、通常は手摺耳部７ａの内面とは接触していない。
【００１７】
ここで、図６に示すように、複数の駆動ローラ１１と軸１３の内の一部の位置（姿勢）が、正規の状態から軸１３方向へずれたり、或いは移動手摺７の進行方向に対し傾いたりして、駆動ローラ１１と手摺耳部７ａとの間隙が狭くなると、それらが接触する前に、手摺案内装置１７の案内体１７ｃの上下部が移動手摺７や耳部７ａの内面と接触し、移動手摺７の横方向の動きを規制して、駆動ローラ１１と手摺耳部７ａとの接触を未然に防止する。よって、実施の形態１と同様の効果を得ることができる。
【００１８】
なお、上記実施の形態１〜３の説明では、全ての駆動ローラの進行方向における前後に案内体を設置する構成としたが、案内体を駆動ローラと移動手摺の耳部との間隙が確保できない駆動ローラ部のみに設置しても良いし、駆動ローラの進行方向の前後の片側だけであっても良い。
【図面の簡単な説明】
【００１９】
【図１】乗客コンベアの全体構成を示す概略側面図である。
【図２】この発明の実施の形態１における乗客コンベアの移動手摺案内装置を示す図１のＡ部拡大図である。
【図３】この発明の実施の形態１における乗客コンベアの移動手摺案内装置を示す図２のＢ部拡大図である。
【図４】図３をＣ方向から見た図である。
【図５】図３をＤ方向から見た平面図である。
【図６】駆動ローラとその軸の一部の位置（姿勢）が正規の状態から軸方向にずれたり進行方向に傾いたりする状態を説明するための説明図である。
【図７】この発明の実施の形態２における乗客コンベアの移動手摺案内装置を示す図５に相当する平面図である。
【図８】この発明の実施の形態３における乗客コンベアの移動手摺案内装置を示す図４相当図である。
【図９】案内体を示す斜視図である。
【図１０】この発明の実施の形態３における乗客コンベアの移動手摺案内装置を示す図５に相当する平面図である。
【符号の説明】
【００２０】
１  乗客コンベアの主枠
２  欄干
３  駆動機
４  駆動スプロケット
５  駆動チェーン
６  踏段
７  移動手摺
７ａ  手摺耳部
８  下部スプロケット
９  手摺駆動装置
１０  駆動力伝達用チェーン
１１  駆動ローラ
１２  手摺駆動チェーン
１３  駆動ローラの軸
１４  押圧ローラ
１５  連結部材
１６  ばね
１７  手摺案内装置
１７ａ  保持器
１７ｂ  軸部
１７ｃ  案内体
【図１】
2007131371.tif 000003
【図２】
2007131371.tif 000004
【図３】
2007131371.tif 000005
【図４】
2007131371.tif 000006
【図５】
2007131371.tif 000007
【図６】
2007131371.tif 000008
【図７】
2007131371.tif 000009
【図８】
2007131371.tif 000010
【図９】
2007131371.tif 000011
【図１０】
2007131371.tif 000012